(57)【要約】【課題】モニタ監視人員の注意力の集中程度モニタリングシステムを提供する。【解決手段】モニタ監視人員の注意力の集中程度モニタリングシステムであって、保安監視制御設備に装着でき、モニタ監視人員の目のイメージを取得することに用いる撮像装置と、該撮像装置に接続し、目の運動状況を検出することに用い、目が注視するスクリーンの位置を算出する検出ユニットと、該検出ユニットに接続し、算出された注視位置データに基づき、モニタ監視人員が監視制御スクリーンを監視する注意力の集中程度及び適合程度を分析して得る分析ユニットとを含む。監視・保安システムの各監視点で何れも適当且つ十分なモニタ監視人員の関心を獲得する補助を達成することができ、且つ適当な関心を得られなかった監視制御点に対して事後処理で分析することができ、各隅で何れも安全で落ち度がないように確保することができる。【選択図】図１
2011040032.tif 000002
【特許請求の範囲】
【請求項１】
保安監視制御設備に装着でき、
モニタ監視人員の目のイメージを取得することに用いる撮像装置と、
該撮像装置に接続し、目の運動状況を検出することに用い、目が注視するスクリーンの位置を算出する検出ユニットと、
該検出ユニットに接続し、算出された注視位置データに基づき、該モニタ監視人員が監視制御スクリーンを監視する注意力の集中程度及び適合程度を分析して得る分析ユニットと、
を含むことを特徴とするモニタ監視人員の注意力の集中程度モニタリングシステム。
【請求項２】
前記撮像装置がＣＣＤ撮像機であることを特徴とする請求項１記載のモニタ監視人員の注意力の集中程度モニタリングシステム。
【請求項３】
前記検出ユニットが連続取得した目のイメージ中に瞳孔を確定することを特徴とする請求項１記載のモニタ監視人員の注意力の集中程度モニタリングシステム。
【請求項４】
前記検出ユニットがイメージ分析を行い、瞳の移動する位置及び瞳孔の大きさを算出することを特徴とする請求項１記載のモニタ監視人員の注意力の集中程度モニタリングシステム。
【請求項５】
前記検出ユニットが目のイメージ箇所、動向周囲の領域を評価し、目の位置及び注視方向を確定することを特徴とする請求項１記載のモニタ監視人員の注意力の集中程度モニタリングシステム。
【請求項６】
前記分析ユニットが各分割画面の監視程度及び監視密度を演算することができることを特徴とする請求項１記載のモニタ監視人員の注意力の集中程度モニタリングシステム。
【請求項７】
前記分析ユニットでの算出数値が 監視制御領域にて所定の安全標準数値に達成しない場合に、モニタ監視人員に警告を提示することができる監視制御装置を設けたことを特徴とする請求項１記載のモニタ監視人員の注意力の集中程度モニタリングシステム。
【請求項８】
前記分析ユニットがモニタ監視人員の監視状況の履歴分析を記録することができることを特徴とする請求項１記載のモニタ監視人員の注意力の集中程度モニタリングシステム。
【発明の詳細な説明】
【技術分野】
【０００１】
本発明は、知能型モニタリングシステムに関し、特に、従来の保安システム中の保安人員等のモニタ監視人員によるスクリーン監視効能を効率的に補助及び向上するモニタリング及び分析システムに関し、即ち、モニタ監視人員の注意力集中程度のモニタリングシステムに関する。
【背景技術】
【０００２】
人類の生活水準の向上により、保安会社、保管監視制御設備及び保安管理サービスも徐々に普及している。現有の保安管理は、各出入点に何れも警報装置を有し、各隅に２４時間の連続撮影装置を設けている。大量の撮像機を応用するので、保安人員が監視制御するモニタ(スクリーン)上に、複数の分割画面を設け、保安人員にこれら多くの撮像機のイメージを同時に監視させている。
【０００３】
しかしながら、保安人員等のモニタ監視人員の当番の作業時間は比較的長く、勤務時に睡眠、新聞雑誌の閲読等の失態が発生する可能性があり、また、保安人員(モニタ監視人員)が常時注意力を集中していない等の状況も見られる。疲労、外部干渉、又は分割画面が過度に多い等の要因により、各タイミングの各監視画面を効率的に詳細に注意することができず、保安人員が各分割画面を確実に観覧監視しているか、更に、画面中の異常状況に対して反応しているかによって、安全管理ができているかの即時の有効な鍵である。各分割画面を確実に制御できなければ、進歩した高度・精密な保安管理システムに最大の効果を発生させることができず、多くの安全監視制御の抜け穴及び損失を招き、生命、財産の損失を招き、大量の金銭を費やし、設置した保安システムを完全に効果を発生させることができない。
【０００４】
このことから分かるように、上記現有のモニタリングシステムは、構造及び使用上に、依然として不便及び欠陥が明らかに存在し、更なる改善を要する。上記存在する問題を解決する為、関連メーカーは、思考を凝らし解決の道を探求しているが、未だ適切な設計が発展完成されておらず、一般製品は、上記問題を解決する適切な構造を有しておらず、これは、関連業者が迅速に解決を欲する問題である。
従って、新型のモニタ監視人員の注意力の集中程度モニタリングシステムを如何に創設するかは、当然、重要な研究開発の課題の１つであり、即ち、現在業界が改善を必要とする目標である。
【先行技術文献】
【特許文献】
【０００５】
【特許文献１】特開２０００−１７２９６１号公報
【特許文献２】特開２００４−３５５３９１号公報
【発明の概要】
【発明が解決しようとする課題】
【０００６】
本発明の目的は、現有のモニタリングシステムに存在する欠陥を克服し、新型構造のモニタにおける、モニタ監視人員（保安人員）のモニタ監視の際の注意力の集中程度をモニタリングするシステムを提供することであり、解決しようとする技術的問題は、それに保安人員等のモニタ監視員がスクリーンの各画面を監視する注意力の集中程度及び監視広範囲度をモニタリング可能とし、モニタ監視人員（保安人員）がスクリーン上の分割画面を正確に注視するよう確保し、即時、モニタ監視人員の異常な監視状況に対し効率的に反応することができ、すぐに所定の警告を提供し、モニタ監視状況の履歴分析を提供し、後続の分析の基礎とさせ、これにより、保安システムの各監視点で何れも適当且つ十分なモニタ監視人員の注意を獲得する補助を達成することができ、分割画面を即時効率的で確実に監視することができ、実用に非常に適するようにすることである。
【課題を解決するための手段】
【０００７】
本発明の目的及びその技術的問題の解決は、以下の技術試案を採用して実現される。本発明が提示するモニタ監視人員の注意力の集中程度モニタリングシステムに基づき、該モニタ監視人員の注意力の集中程度モニタリングシステムは、保安監視制御設備に装着でき、それは、モニタ監視人員の目のイメージを取得することに用いる撮像装置と、該撮像装置に接続し、目の運動状況を検出することに用い、目が注視するスクリーンの位置を算出する検出ユニットと、該検出ユニットに接続し、算出された注視位置データに基づき、該モニタ監視人員の監視制御スクリーンを監視する注意力の集中程度及び適合程度を分析して得る分析ユニットとを含む。
【０００８】
本発明の目的及びその技術的問題の解決は、更に以下の技術措置を採用して実現される。
【０００９】
前記のモニタ監視人員の注意力の集中程度モニタリングシステムは、そのうち、前記の撮像装置がＣＣＤ（Charged Coupled Device）撮像機である。
【００１０】
前記のモニタ監視人員の注意力の集中程度モニタリングシステムは、そのうち、前記の検出ユニットが連続取得した目のイメージ中に瞳孔を確定する。
【００１１】
前記のモニタ監視人員の注意力の集中程度モニタリングシステムは、そのうち、前記の検出ユニットがイメージ分析を行い、瞳の移動する位置及び瞳孔の大きさを算出する。
【００１２】
前記のモニタ監視人員の注意力の集中程度モニタリングシステムは、そのうち、前記の検出ユニットが目のイメージ箇所、動向周囲の領域を評価し、目の位置及び注視方向を確定する。
【００１３】
前記のモニタ監視人員の注意力の集中程度モニタリングシステムは、そのうち、前記の分析ユニットが各分割画面の監視程度及び監視密度を演算することができる。
【００１４】
前記のモニタ監視人員の注意力の集中程度モニタリングシステムは、そのうち、前記の分析ユニットが確実に監視制御するよう警告を提示することができる。
【００１５】
前記のモニタ監視人員の注意力の集中程度モニタリングシステムは、そのうち、前記の分析ユニットが監視状況の履歴分析を記録することができる。
【００１６】
本発明は、現有技術と比較し、顕著な利点及び有益効果を有する。以上から分かるように、上記目的を達成する為、本発明は、モニタ監視人員の注意力の集中程度モニタリングシステムを提供し、上記の問題を解決し、瞳位置追跡技術を結合することで、撮像機を介してモニタ監視人員（保安人員)の眼球の視線の変化、回覧経路を追跡し、従来の監視・保安システムが数量化及び具体的制御できない一環を解決することを補助し、モニタ監視人員（保安人員）の監視品質を確保し、長い間解決できなかった技術的問題を解決する。
【００１７】
本発明の実施例において、モニタ監視人員の注意力の集中程度モニタリングシステムを提供し、該モニタ監視人員の注意力の集中程度モニタリングシステムは、監視・保安システムの中央制御室に装着でき、モニタ監視人員の目のイメージを取得することに用いる撮像装置と、該撮像装置に接続し、目の運動状況を検出することに用い、目が注視するスクリーンの位置を算出する検出ユニットと、該検出ユニットに接続し、算出された注視位置データに基づき、該モニタ監視人員の監視制御スクリーンを監視する注意力の集中及び適合程度を分析して得る分析ユニットとを含む。
【発明の効果】
【００１８】
本発明のモニタ監視人員の注意力の集中程度モニタリングシステムによれば、少なくとも下記の利点及び効果を有する。本発明は、モニタ監視人員（保安人員）がスクリーンの各画面を監視する注意力の集中程度、及び、モニタ監視人員(保安人員)の監視範囲をモニタリングすることができ、保安人員がスクリーン上の分割画面を正確に注視するよう確保し、即時、モニタ監視人員の異常監視状況に対して、有効な反応を行い、直ぐに所定の警告を提供し、モニタ監視人員の監視状況の履歴分析を提供し、後続の分析の基礎とすることができるので、適当な関心を得ていない監視制御点に対して事後処理の効果を得ることができ、各隅が何れも安全に落ち度がないことを確保する。
【００１９】
上記のように、本発明は、モニタ監視人員の注意力の集中程度モニタリングシステムに関し、該モニタ監視人員の注意力の集中程度モニタリングシステムは、監視・保安システムの中央制御室に装着されることができ、モニタ監視人員の目のイメージを取得することに用いる撮像装置と、該撮像装置に接続し、目の運動状況を検出することに用い、目が注視するスクリーンの位置を算出する検出ユニットと、該検出ユニットに接続し、算出された注視位置データに基づき、該モニタ監視人員が監視制御スクリーンを監視する注意力の集中程度及び適合程度を分析して得る分析ユニットとを含むので、モニタ監視人員が注意散漫になった場合の警告や、事後処理によりモニタ監視人員のモニタ監視での注意力の分析が可能となる。
【図面の簡単な説明】
【００２０】
【図１】本発明の好適な実施例のモニタ監視人員の注意力の集中程度モニタリングシステムの構造ブロック図である。
【発明を実施するための形態】
【００２１】
本発明が所定の発明の目的を達成するために採用する技術手段及び効果を更に説明する為、以下に図面に併せて好適実施例を挙げ、本発明が提示するモニター監視員(人員)の集中程度モニタリングシステムに基づき、その具体的な実施例、構造、特徴及びその効果に対して、詳細に説明を行なう。
【００２２】
本発明の前記及びその他の技術的内容、特徴及び効果について、以下に図面に併せた実施例の詳細説明において、明確に呈現することができる。説明に便利である為に、以下の実施例中、同一の部材は、同一の符号で表示する。
【００２３】
本発明は、モニタ監視人員が分割画面を即時に効率的に確実に監視制御することができるモニタ監視人員の注意力の集中程度モニタリングシステムを提供する。
該モニタ監視人員の注意力の集中程度モニタリングシステムは、保安監視制御設備に装着でき、それは、モニタ監視人員の目のイメージを取得することに用いる撮像装置と、該撮像装置に接続し、目の運動状況を検出することに用い、目が注視するスクリーンの位置を算出する検出ユニットと、該検出ユニットに接続し、算出された注視位置データに基づき、該モニタ監視人員が監視制御スクリーンを監視する注意力の集中程度及び適合程度を分析して得る分析ユニットとを含む。
【００２４】
図１は、本発明の好適な実施例のモニタ監視人員の注意力の集中程度モニタリングシステムの構造ブロック図である。本発明の好適な実施例のモニタ監視人員の注意力の集中程度モニタリングシステム１０は、保安監視制御設備に装着でき、モニタ監視人員(保安人員)がスクリーン上の複数の分割画面を正確に回覧しているか否かをモニタリングすることに用い、それは、主に撮像装置１２と、検出ユニット１４と、分析ユニット１６とを含む。
【００２５】
本実施例において、該撮像装置１２は、ＣＣＤ（Charged Coupled Device）撮像機であることができる。該撮像装置１２を利用し、保安人員の目を調整し、保安人員が監視、回覧時、目が移動し、光源が目の周囲に照射し、撮像部材が目のイメージを絶えず取得し、連続取得した目のイメージを接続する該検出ユニット１４に伝送する。
【００２６】
該検出ユニット１４は、目の運動状況を検出することに用い、コンピュータを介して得た目の運動状況をイメージ分析し、連続取得した目のイメージにおいて瞳孔を確定し、瞳の移動位置及び瞳孔の大きさを算出する。その後、目のイメージ箇所、瞳孔周囲の領域を評価し、目が注視するスクリーンの位置及び方向を計算確定することに用いる。
【００２７】
眼球の種々の移動及び変化に基づき、モニタ監視人員の目の進行経路、着点及び停留時間を検出することができ、モニタ監視人員がスクリーン上の複数の分割画面を正確に注視するよう確保し、即ち、各隅が何れもモニタ監視人員をモニタリングすることができる。
【００２８】
該検出ユニット１４が算出した注視位置データに基づき、接続する該分析ユニット１６は、各分割画面の監視程度及び監視密度を演算手段(図示せず)により演算し、その状態での数値を算出することができ、該モニタ監視人員(保安人員)のスクリーンを監視時の注意力の集中程度及び適合程度を得ることができ、各監視制御領域の安全程度を確保する。分析ユニット１６には予め所定の安全標準数値が設けられており、監視制御領域にて分析ユニット１６での算出値が所定の安全標準数値に達成しない場合、該分析ユニット１６は、監視制御手段(図示せず)によって警示を提示することができ、この領域に赤いランプを点灯させ、モニタ監視人員にこの領域を確実に監視制御するよう注意させることができる。
【００２９】
本発明は、瞳位置追跡技術を結合し、撮像機を介して保安人の眼球の視線の変化、観覧経路を追跡し、モニタ監視人員がスクリーンの各画面を監視する注意力の集中程度、及び、モニタ監視人員の監視範囲をモニタリングし、モニタ監視人員の注意力の集中度に所定の安全標準数値を達成させ、モニタ監視人員の監視品質を向上させ、従来の保安システムが数量化及び具体的制御できない一環を解決することを補助し、モニタ監視人員の分割画面の正確な注視を確保し、即時、安全標準数値の低下に対して効率的な反応を示し、モニタ監視人員の異常監視状況に対して効率的に反応を行い、直ぐに所定の警告を提示し、監視状況の歴史分析を提供し、後続分析の基礎となる。従って、監視・保安システムの各監視点で何れも適当且つ十分なモニタ監視人員の関心を獲得する補助を達成することができ、且つ、適当な関心を得られなかった監視制御点に対して事後処理で問題点を分析することができ、各隅で何れも安全で落ち度がないように確保することができる。
【００３０】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００３１】
１０  モニタ監視人員の注意力の集中程度モニタリングシステム
１２  撮像装置
１４  検出ユニット
１６  分析ユニット
【図１】
2011040032.tif 000003